(57)【特許請求の範囲】
【請求項１】
露光作動時に電子幕と相俟ってスリットを形成しうるシャッタ羽根を備えた地板を有し、前記地板が、少なくとも第１及び第２のピンを備えた地板受け部に、該第１及び第２のピンを介して取付けられるフォーカルプレンシャッタであって、
前記地板が、
前記第１のピンに対し回転可能に嵌合する軸穴と、
前記軸穴を中心とする前記地板の所定の回転角度範囲内での回転方向に沿って相対的に移動する前記第２のピンを遊嵌可能な長穴と、
前記地板に対する相対的な位置の変動が可能に構成されるとともに、前記長穴に遊嵌された前記第２のピンを嵌入し且つ前記地板の回転方向側の両側面で該第２のピンと当接する位置調整穴と、
偏心ピンの回転により前記軸穴を中心として前記地板を僅かに回転させて前記位置調整穴の前記地板との相対的な位置を調整する、前記地板受け部への取付け角度を微調整するための地板取付け角度調整機構と、
前記地板取付け角度調整機構を介して前記地板の前記地板受け部への取付け角度を微調整した位置で、前記位置調整穴の前記地板との相対的位置を固定する固定手段と
を備えることを特徴とするフォーカルプレンシャッタ。
【請求項２】
前記地板取付け角度調整機構が、
前記地板に回転可能に取付けられた前記偏心ピンと、
前記位置調整穴を有するとともに、前記偏心ピンの回転により前記地板との相対的な位置を変動させながら前記軸穴を中心として前記地板を僅かに回転させる可動板と、
前記地板に設けられていて、前記可動板を、前記軸穴を中心とする前記地板の所定の回転角度範囲内での回転方向に略沿った直線方向にガイド可能なガイド溝と、
前記可動板に設けられていて、前記偏心ピンを前記ガイド溝のガイド方向に対し垂直な方向に沿ってガイド可能な偏心ピンガイド穴
を有することを特徴とする請求項１に記載のフォーカルプレンシャッタ。
【請求項３】
前記地板の前記軸穴が、該地板の開口部の中心を通る直線上に設けられていることを特徴とする請求項１又は２に記載のフォーカルプレンシャッタ。
【請求項４】
前記地板取付け角度調整機構を介して前記地板の前記地板受け部への取付け角度が微調整された位置で、前記固定手段を介して前記位置調整穴の前記地板との相対的位置が固定された請求項１〜３のいずれかに記載のフォーカルプレンシャッタと、
撮像素子を有し、且つ、前記フォーカルプレンシャッタの地板を取付ける前記地板受け部が設けられた本体部
を有するデジタルカメラ。
【請求項５】
前記地板取付け角度調整機構を介して前記地板の前記地板受け部への取付け角度が微調整された位置で、前記固定手段を介して前記位置調整穴の前記地板との相対的位置が固定された請求項１〜３のいずれかに記載のフォーカルプレンシャッタと、
撮像素子を有し、且つ、前記フォーカルプレンシャッタの地板を取付ける前記地板受け部が設けられた基板と、
からなるカメラユニット。
【請求項６】
請求項５に記載のカメラユニットを備えたデジタルカメラ。
【発明の詳細な説明】
【技術分野】
【０００１】
本発明は、例えば、先幕電子シャッタ等、露光時のスリットを形成する一方の幕が電子幕で構成され、他方の幕がシャッタ羽根で構成される、フォーカルプレンシャッタ、フォーカルプレンシャッタを備えたカメラ、フォーカルプレンシャッタを備えたカメラユニット及びフォーカルプレンシャッタを備えたカメラユニットを備えたカメラに関する。
【背景技術】
【０００２】
デジタルカメラ（特に、一眼レフ機、ミラーレス機等）に搭載されるフォーカルプレンシャッタのうち、撮像素子を用いて一方の幕を電子化し、他方の幕をシャッタ羽根で構成したタイプのシャッタがある。この種のシャッタは、画枠に対し、他方の幕を構成するシャッタ羽根のうちスリット形成羽根におけるスリット形成側の辺（本願では、スリット形成辺ということとする。）を、撮像素子のスリット形成画素列に対して平行となるように、走行させて露光させるように設計されている。
【０００３】
この種のフォーカルプレンシャッタを備えたカメラでは、製造に際し、例えば、次の特許文献１に示すように、一方の幕を構成する撮像素子が設けられたカメラ本体部の複数個所に、後幕を構成するシャッタ羽根を備えたフォーカルプレンシャッタの地板を螺子で取付ける。
【０００４】
また、従来、特許文献１に記載のフォーカルプレンシャッタを備えたカメラのような、カメラ本体部の複数個所にシャッタの地板を螺子で取り付けるタイプのカメラにおいては、カメラ本体部側に複数のピンを設けるとともに、フォーカルプレンシャッタの地板における対応する位置に設けられた複数の軸穴を設けた構成が用いられている。そして、カメラの組立においてカメラ本体部の複数個所にシャッタの地板を螺子で取り付ける際に、カメラ本体部側に設けられた複数のピンに、フォーカルプレンシャッタの地板における対応する位置に設けられた複数の軸穴を嵌合させることによって、カメラ本体部におけるフォーカルプレンシャッタの地板の位置を固定させている。
【先行技術文献】
【特許文献】
【０００５】
【特許文献１】特開２００４−３８１１６号公報
【発明の概要】
【発明が解決しようとする課題】
【０００６】
この種のタイプのシャッタの性能は、スリット形成羽根におけるスリット形成辺の、撮像素子のスリット形成画素列に対する平行度によって定まる。しかるに、近年、画質の向上を図るため、スリット形成辺の、撮像素子のスリット形成画素列に対する平行度を、より一層向上させることが求められている。
しかるに、電子幕を形成する撮像素子は、スリット形成画素列の平行度は高精度な状態となるように調整してカメラ本体に設けることが容易である。これに対し、フーカルプレンシャッタの幕の傾きは、個々の構成部材を組み上げたときに初めて確認することができ、しかもフォーカルプレンシャッタの幕を構成する個々の部材の成型時の誤差や性能誤差、地板への取付け誤差によりスリット形成羽根のスリット形成辺に傾きが生じうる。そして、フォーカルプレンシャッタにおける個々の部材を分解して誤差を調整することは、作業の煩雑さ、作業時間やコスト負担増となるため、限りなく難しい。
このため、撮像素子を備えたカメラ側の取付け部の複数のピンにシャッタ羽根を備えた地板の軸穴を嵌合させることによって、カメラ本体部に地板を位置決めする構成では、撮像素子のスリット形成画素列に対するスリット形成羽根のスリット形成辺を傾きなく平行度を高精度に保ってカメラ本体部に地板を取付けることは、量産上、非常に難しい。しかも、一旦、カメラ本体部に地板を取付けた後は、上記誤差を起因として生じた撮像素子のスリット形成画素列に対するスリット形成羽根のスリット形成辺の傾きを補正することが出来ない。
【０００７】
本発明は、このような問題点を解決するためになされたものであり、その目的とするところは、フォーカルプレンシャッタの幕を構成する個々の部材の成型時の誤差や性能誤差、地板への取付け誤差の如何にかかわらず、撮像素子のスリット形成画素列に対するスリット形成羽根のスリット形成辺の平行度を高精度な状態にして、カメラ本体部に地板を取付けることが可能で量産性に優れたフォーカルプレンシャッタ、フォーカルプレンシャッタを備えたカメラ、フォーカルプレンシャッタを備えたシャッタユニット及びフォーカルプレンシャッタを備えたシャッタユニットを備えたカメラを提供することである。
【課題を解決するための手段】
【０００８】
上記の目的を達成するために、本発明によるフォーカルプレンシャッタは、露光作動時に電子幕と相俟ってスリットを形成しうるシャッタ羽根を備えた地板を有し、前記地板が、少なくとも第１及び第２のピンを備えた地板受け部に、該第１及び第２のピンを介して取付けられるフォーカルプレンシャッタであって、前記地板が、前記第１のピンに対し回転可能に嵌合する軸穴と、前記軸穴を中心とする前記地板の所定の回転角度範囲内での回転方向に沿って相対的に移動する前記第２のピンを遊嵌可能な長穴と、前記地板に対する相対的な位置の変動が可能に構成されるとともに、前記長穴に遊嵌された前記第２のピンを嵌入し且つ前記地板の回転方向側の両側面で該第２のピンと当接する位置調整穴と、偏心ピンの回転により前記軸穴を中心として前記地板を僅かに回転させて前記位置調整穴の前記地板との相対的な位置を調整する、前記地板受け部への取付け角度を微調整するための地板取付け角度調整機構と、前記地板取付け角度調整機構を介して前記地板の前記地板受け部への取付け角度を微調整した位置で、前記位置調整穴の前記地板との相対的位置を固定する固定手段とを備えることを特徴としている。
【０００９】
また、本発明のフォーカルプレンシャッタにおいては、前記地板取付け角度調整機構が、前記地板に回転可能に取付けられた前記偏心ピンと、前記位置調整穴を有するとともに、前記偏心ピンの回転により前記地板との相対的な位置を変動させながら前記軸穴を中心として前記地板を僅かに回転させる可動板と、前記地板に設けられていて、前記可動板を、前記軸穴を中心とする前記地板の所定の回転角度範囲内での回転方向に略沿った直線方向にガイド可能なガイド溝と、前記可動板に設けられていて、前記偏心ピンを前記ガイド溝のガイド方向に対し垂直な方向に沿ってガイド可能な偏心ピンガイド穴を有するのが好ましい。
【００１０】
また、本発明のフォーカルプレンシャッタにおいては、前記地板の前記軸穴が、該地板の開口部の中心を通る直線上に設けられているのが好ましい。
【００１１】
また、本発明のカメラは、前記地板取付け角度調整機構を介して前記地板の前記地板受け部への取付け角度が微調整された位置で、前記固定手段を介して前記位置調整穴の前記地板との相対的位置が固定された上記のような各フォーカルプレンシャッタと、撮像素子を有し、且つ、前記フォーカルプレンシャッタの地板を取付ける前記地板受け部が設けられた本体部を有している。
【００１２】
また、本発明のカメラユニットは、前記地板取付け角度調整機構を介して前記地板の前記地板受け部への取付け角度が微調整された位置で、前記固定手段を介して前記位置調整穴の前記地板との相対的位置が固定された上記のような各フォーカルプレンシャッタと、撮像素子を有し、且つ、前記フォーカルプレンシャッタの地板を取付ける前記地板受け部が設けられた基板と、からなる。
【００１３】
また、本発明のデジタルカメラは、上記のようなカメラユニットを備えている。
【発明の効果】
【００１４】
本発明のフォーカルプレンシャッタ、フォーカルプレンシャッタを備えたカメラ、フォーカルプレンシャッタを備えたシャッタユニット及びフォーカルプレンシャッタを備えたシャッタユニットを備えたカメラによれば、偏心ピンの回転により軸穴を中心として地板を僅かに回転させ位置調整穴の地板との相対的な位置を調整する、地板受け部への取付け角度を微調整するための地板取付け角度調整機構を備えたので、シャッタ羽根を構成する個々の部材を分解することなく、偏心ピンを回転させることによって、地板の地板受け部への取付け角度を微調整することができ、スリット形成羽根におけるスリット形成辺の、撮像素子のスリット形成画素列に対する平行度の精度を向上させることができる。
また、地板取付け角度調整機構を介して地板の地板受け部への取付け角度を微調整した位置で、位置調整穴の地板との相対的位置を固定する固定手段を有したので、固定手段で位置調整穴の地板との相対的位置を固定することができ、その後に地板を地板受け部からはずしても、地板の地板受け部への取付け角度を保持できる。
このため、カメラへ組み込む前工程として、シャッタ羽根を備えた地板をシャッタユニット組立専用の地具に設けられた地板受け部に取付けて、地板の地板受け部への取付け角度を微調整し、固定手段で位置調整穴の地板との相対的位置を固定した後に、地板受け部を設けた地具から取り外すといった一連の工程を繰り返すことで、その後、カメラへ組み込む工程において、シャッタ羽根を備えた地板をカメラ本体部の地板受け部に取付けたときに、スリット形成羽根におけるスリット形成辺の、撮像素子のスリット形成画素列に対する平行度を高精度に保つことの可能なシャッタユニットを量産することができる。
その結果、本発明によれば、フォーカルプレンシャッタの幕を構成する個々の部材の成型時の誤差や性能誤差や、地板への取付け誤差の如何にかかわらず、撮像素子のスリット形成画素列に対するスリット形成羽根のスリット形成辺の平行度を高精度な状態にしてカメラ本体部に地板を取付けることが可能で量産性に優れたフォーカルプレンシャッタ、フォーカルプレンシャッタを備えたカメラ、フォーカルプレンシャッタを備えたシャッタユニット及びフォーカルプレンシャッタを備えたシャッタユニットを備えたカメラが得られる。
【図面の簡単な説明】
【００１５】
【図１】本発明の一実施例にかかるフォーカルプレンシャッタを地板受け部に取付けた状態を示す平面図である。
【図２】図１のフォーカルプレンシャッタ及び地板受け部の分解斜視図である。
【図３】図１における一つの要部のＤ−Ｄ拡大断面図である。
【図４】図１の他の要部のＥ−Ｅ拡大断面図である。
【図５】図１のさらに他の要部のＦ−Ｆ拡大断面図である。
【図６】図１の地板を地板受け部に対して反時計方向に所定角度傾けた状態を示す平面図である。
【図７】図１の地板を地板受け部に対して時計方向に所定角度傾けた状態を示す平面図である。
【発明を実施するための形態】
【００１６】
本発明の実施の形態を、図示した実施例によって説明する。
【実施例】
【００１７】
先ず、主に、図１及び図２を用いて、本発明の実施例の構成を説明するが、図１は本発明の一実施例にかかるフォーカルプレンシャッタを地板受け部に取付けた状態を示す平面図、図２は図１のフォーカルプレンシャッタ及び地板受け部の分解斜視図である。なお、本実施例の説明においては、本実施例のフォーカルプレンシャッタをカメラに組み込んだとき、図１の表面側（手前側）が被写体側（撮影レンズ側）であり、図１の背面側が撮像素子側であることを前提にして説明する。しかしながら、周知のように、デジタルカメラの場合には、図１の表面側を撮像素子側にし、図１の背面側を被写体側にすることもある。また、本発明の実施例の説明においては、先幕を電子シャッタとし、後幕のみを駆動部材を介して開閉するメカニカルシャッタの構成を用いることとする。
【００１８】
まず、本実施例の要部の構成の説明に先立ち、シャッタ羽根を走行させる構成について説明する。
図１において、シャッタ地板１の略右寄り中央部には、露光用の開口部１ａが形成されている。また、シャッタ地板１の背面側には、補助地板２が取り付けられており、シャッタ地板１と補助地板２との間に羽根室を構成している。そして、補助地板２にも、開口部１ａの形状や大きさが略同様の開口部２ａが形成されている。なお、便宜上、補助地板２は図６、図７では省略して示してある。また、本実施例のシャッタ地板１は合成樹脂製である。
【００１９】
シャッタ地板１には、開口部１ａの左側の領域に、円弧状の長孔１ｂが形成されている。長孔１ｂの下方端部には、図示していない周知の緩衝部材が取り付けられている。また、補助地板２は、長孔１ｂと重なるところに、略同じ形状をした長孔２ｂが形成されている。
【００２０】
シャッタ地板１の表面側には、軸１ｃ，１ｄが、シャッタ地板１の背面側には、軸１ｆ，１ｇが、夫々立設されている。それらのうち、軸１ｆは、軸１ｃと同心上に立設されている。
【００２１】
シャッタ地板１の表面側には、このほかにも、複数の柱が立設されており、それらの先端には、支持板２３と図示していないプリント配線板とが、支持板２３をシャッタ地板１側にして取り付けられている。支持板２３のシャッタ地板１側には、略Ｕ字形をしていて二つの脚部の先端を磁極部とした鉄芯部材と、コイルと、コイルを巻回していて鉄芯部材の一方の脚部に嵌装されたボビンとで構成された、電磁石４が取り付けられている。なお、便宜上、図１のほか図６、図７において電磁石については鉄芯部材だけに符号４を付してある。
【００２２】
シャッタ地板１の軸１ｃには、合成樹脂製の駆動部材１１が、回転可能に取り付けられている。
駆動部材１１は、被押動部１１ａと、駆動ピン１１ｂと、取付部１１ｃを有している。駆動ピン１１ｂは、シャッタ地板１の長孔１ｂに挿入されている。駆動ピン１１ｂは、先端側の部位が後述のように羽根室内で羽根に連結されており、その最先端部を、補助地板２に形成された長孔２ｂに挿入している。
また、周知のように、駆動部材１１は、図示していない駆動ばねの付勢力によって時計方向（図１における軸１ｃを中心とした矢印Ａ方向）へ回転するように付勢されている。
【００２３】
駆動部材１１の取付部１１ｃは、被写体側に部厚く形成されていて、その内部に、鉄片部材１３と図示していない圧縮ばねとが収容されている。
鉄片部材１３は、軸部１３ａの一端に円盤状をした頭部１３ｂを有していて、他端には鉄片部１３ｃを取り付けている。また、鉄片部材１３は、取付部１１ｃ内で軸部１３ａに嵌装されている図示していない圧縮ばねによって、鉄片部１３ｃを取付部１１ｃ内から突き出すように付勢されている。
【００２４】
また、シャッタ地板１の軸１ｃには、図１に示すように、ラチェット部材２４が回転可能に取付けられている。ラチェット部材２４は、外周部にラチェット歯を備えており、支持板２３に形成された図示していないラチェット爪の先端をラチェット歯に噛合させられ、ラチェット部材２４の時計方向への回転を阻止されるようになっている。
【００２５】
駆動ばねは、一端を駆動部材１１の図示していないばね掛け部に掛けるとともに、他端をラチェット部材２４の図示していないばね掛け部に掛けて、駆動部材１１を時計方向へ回転させるように付勢している。
【００２６】
シャッタ地板１の軸１ｄには、合成樹脂製のセット部材１４が回転可能に取り付けられている。セット部材１４は、カメラ本体部側に設けられている図示していないセット駆動機構部の図示していないリンクレバーを回転可能に取り付けた図示していない取付部と、駆動部材１１の被押動部１１ａを押す押動部１４ｂとを有している。
また、セット部材１４は、図示していない復帰ばねによって反時計方向（図１における軸１ｄを中心とした矢印Ｂ方向）へ回転するように付勢されている。
【００２７】
シャッタ地板１と補助地板２との間に配置されている羽根は、シャッタ地板１の軸１ｆに対して一端を回転可能に取り付けられたアーム１７と、シャッタ地板１の軸１ｇに対して一端を回転可能に取り付けられたアーム１８と、それらの自由端である他端部に向けて順に枢支された３枚の羽根１９，２０，２１とで構成されており、羽根２１がスリット形成羽根となっている。そして、周知のように、駆動部材１１の駆動ピン１１ｂの先端部は、アーム１７に形成された長孔１７ａに嵌合している。
【００２８】
また、シャッタ地板１の図示していない軸には、セットばねが嵌装されていて、その一端をシャッタ地板１の図示していないばね掛け部に掛けるとともに、他端をアーム１８の孔１８ａに掛けて、アーム１８を反時計方向（図１における軸１ｇを中心とした矢印Ｃ方向）へ回転させるように付勢している。そのため、このセットばねは、羽根を介して間接的に駆動部材１１を反時計方向へ回転させるように付勢しているが、その付勢力は、駆動部材１１に掛けられている上記の図示していない駆動ばねの付勢力よりも弱くなっている。そして、このセットばねの場合、周知の羽根のガタ寄せばね（スリット形成羽根の露光作動開始位置での姿勢を一定にするためにアーム１８に掛けられるばね）の役目を兼用させているが、駆動部材１１に直接掛けるように構成しても差し支えない。なお、便宜上、矢印Ａ〜Ｃは図１にのみ示してある。
【００２９】
駆動部材１１は、セット部材１４の時計方向の回転により、被押動部１１ａが押動部１４ｂに押され、図示していない周知の駆動ばねの付勢力に抗して反時計方向に回転させられ、鉄片部材１３の鉄片部１３ｃが電磁石の鉄芯部材４の磁極部に接触する。また、駆動部材１１は、セットばねの付勢力により反時計方向へ回転させられるが、駆動部材１１の駆動ピン１１ｂが長孔１ｂの上方端部に当接することで、３枚の羽根１９，２０，２１は、折り畳み状態になって開口部１ａから退いた状態で停止するようになっている。
【００３０】
このような構成のシャッタを備えたカメラの露光作動について説明する。
セット完了状態において、電子ファインダで被写体像を観察しながら、カメラのレリーズボタンを押すと、実際の撮影（露光作動）を開始する前に、電磁石が励磁状態になり、鉄片部材１３の鉄片部１３ｃが鉄芯部材４の磁極部に吸着保持される。
次に、セット駆動機構部が、リンクレバーを介してセット部材１４に対する時計方向へ回転させる力を解く。すると、セット部材１４は、図示していない復帰ばねの付勢力によって反時計方向へ回転し、初期位置へ復帰させられていく。
その復帰作動の初期段階において、セット部材１４は、押動部１４ｂが駆動部材１１の被押動部１１ａから離れていくので、駆動部材１１は、図示していない駆動ばねの付勢力によって時計方向へ回転するが、鉄片部材１３が鉄芯部材４に吸着保持されているため、僅かに回転したところで、それらの取付部１１ｃが鉄片部材１３の頭部１３ｂに当接して、停止させられる。
このような駆動部材１１の僅かな回転によって、３枚の羽根１９〜２１も僅かに下方へ移動させられるが、開口部１ａを覆い始める前には停止させられる。
【００３１】
セット部材１４が初期位置へ復帰後に、電子シャッタがＯＮとなり、電子制御回路が撮像素子を制御することによって静止画像の撮影が開始される。このとき電子シャッタとして機能する撮像素子のスリット形成画素列（即ち、撮像素子において電子幕として機能している領域において最も上端に位置する画素の列）が下方に平行に移動していく。そして、被写体の明るさに対応して決められた所定時間が経過すると、電磁石が消磁される。
電磁石が消磁すると、鉄片部材１３に対する鉄芯部材４の吸引力が失われ、駆動部材１１が、駆動ばねの付勢力によって時計方向へ急速に回転させられる。そのとき、駆動部材１１は、セットばねの付勢力に抗して時計方向へ回転させられるため、３枚の羽根１９〜２１は、隣接する羽根同士の重なりを小さくしながら下方へ平行に移動し、スリット形成羽根２１の下端縁（即ち、スリット形成辺）で開口部１ａを閉じていく。図１では、露光作動途中の撮像素子のスリット形成画素列とスリット形成羽根２１のスリット形成辺と開口部１ａとでスリットを形成した１時点の状態を示している。なお、図１においては、斜線部分が撮像素子により機能する電子幕の領域であり、その上端の辺がスリット形成画素列を示している。
【００３２】
図１の状態から、さらに、駆動部材１１が、時計方向への回転を続け、駆動ピン１１ｂが長孔１ｂの下方端部に設けられた図示していない緩衝部材に当接する。駆動部材１１のバウンドが静止したときに、露光作動が終了し、駆動部材１１と羽根の作動が停止する。また、駆動部材１１の駆動ピン１１ｂの緩衝部材への当接と殆ど時期を同じくして、電子幕として機能する撮像素子のスリット形成画素列が最下辺まで移動し電子シャッタがＯＦＦとなる。
【００３３】
露光作動が終了すると、セット作動が開始される。羽根へのセット作動は、セット駆動機構部が図示していない復帰ばねの付勢力に抗してセット部材１４を時計方向へ回転させることによって行なわれる。
羽根へのセット作動が開始されると、セット部材１４の押動部１４ｂが駆動部材１１の被押動部１１ａを押し、駆動部材１１を図示していない駆動ばねの付勢力に抗して反時計方向へ回転させ始める。
その後も、セット部材１４は時計方向への回転を続けるので、駆動部材１１は、被押動部１１ａが押動部１４ｂに押され、図示していない駆動ばねの付勢力に抗して反時計方向へ回転させられる
その後、駆動部材１１に取り付けられている鉄片部材１３の鉄片部１３ｃが、羽根用電磁石の鉄芯部材４の磁極部に接触する。
セット部材１４は、その後も僅かに回転し、セット位置で停止させられる。
【００３４】
駆動部材１１は、セットばねの付勢力によって反時計方向へ回転を開始する。そして、３枚の羽根１９〜２１は、隣接する羽根同士の重なりを大きくしつつ上方へ移動し、開口部１ａを開いていく。
さらに、駆動部材１１が、反時計方向への回転を続ける。駆動部材１１は、反時計方向へ回転し、駆動ピン１１ｂが長孔１ｂの上方端部に当接する。駆動部材１１の反時計方向の回転を伴った羽根のセット方向への戻り作動が終了し、駆動部材１１と羽根の作動が停止する。
駆動部材１１は、セットばねの付勢力によって、３枚の羽根１９〜２１は、開口部１ａを開いた状態を保持される。
【００３５】
なお、本実施例のセット作動は、上記のように、セット部材１４が、セット駆動機構部のリンクレバーを介して、図示していない復帰ばねの付勢力に抗して回転させられることによって行われるが、本発明のフォーカルプレンシャッタは、そのような構成に限定されるものではない。周知のように、カメラ本体部側の部材に直接押されて回転させられるように構成してもよい。また、セット部材１４を初期位置へ復帰させるための復帰ばねは、本実施例のように、セット部材１４に掛けてもよいが、セット駆動機構部のリンクレバーに掛けるようにしても構わない。
【００３６】
また、本実施例は、ダイレクトタイプのフォーカルプレンシャッタとして構成したが係止タイプのフォーカルプレンシャッタでもよい。また、シャッタ羽根を駆動する駆動部材は、複数で構成してもよい。
さらに、本実施例のフォーカルプレンシャッタは、上記構成に限定されるものではなく、露光作動時に電子幕と相俟ってスリットを形成しうるシャッタ羽根を備えた地板を有し、地板が、少なくとも第１及び第２のピンを備えた地板受け部に、第１及び第２のピンを介して取付けられるものであれば、どのような構成であってもよい。
【００３７】
次に、本実施例の要部の構成を説明する。
図１に示す地板受け部５０は、図示していないカメラ本体部、または、後述するスリット羽根におけるスリット形成辺の、撮像素子のスリット形成画素列に対する平行度を調整するための位置調整用の治具に設けられている。地板受け部５０には、シャッタ地板１の開口部１ａと形状や大きさが略同様の開口部５３が形成されている。地板受け部５０の開口部５３の上側部分であって、開口部５３の中心を通る直線上の位置には、第１のピン５１が設けられている。地板受け部５０の開口部５３の下側部分であって、開口部５３の中心を通る直線上の位置には、第２のピン５２が設けられている。第１のピン５１、第２のピン５２は、夫々、径の異なる２種類の柱状部材を組み合わせた形状に形成されており、夫々の先端部５１ａ，５２ａが細径の円柱状部材で構成されている。図１中、５１ｂ、５２ｂは太径部である。なお、地板受け部５０に設けられる撮像素子は、図１におけるスリット形成画素列が開口部５３における長手方向の辺に対して平行となるように設計されている。
【００３８】
図１に示すシャッタ地板１の開口部１ａの上側部分であって、開口部の中心を通る直線上の位置には、軸穴１ｈが設けられている。
軸穴１ｈは、地板受け部５０に備わる第１のピン５１の先端部５１ａに対し回転可能に嵌合するように形成されている。シャッタ地板１の開口部１ａの下側部分であって、開口部の中心を通る直線上の位置には、長穴１ｉが設けられている。
長穴１ｉは、地板取付部５０に備わる第２のピン５２の先端部５２ａ及び太径部５２ｂの一部を遊嵌可能であり、且つ、シャッタ地板１を、軸穴１ｈを中心とする所定の回転角度範囲内で回転させたときに、その回転角度に沿って第２のピン５２の長穴１ｉ内での相対的な位置を変動させることができるように形成されている。長穴１ｉは、図４に示すように、シャッタ地板１の背面側から第２のピン５２の先端部５２ａ及び太径部５２ｂの一部が遊嵌できる太溝部１ｉ−１と、シャッタ地板１の表面側に向けて第２のピン５２の先端部５２ａのみを遊嵌できる細穴部１ｉ−２とを有しており、第２のピン５２を挿入したときに太溝部１ｉ−１の底面が太径部５２ｂの面と接触するようになっている。なお、長穴１ｉは、細径部１ｉ−２のみで構成し、第２のピン５２を挿入したときにシャッタ地板１における背面側の細径部１ｉ−２の周囲の面が太径部５２ｂの面と接触するようにしてもよい。
【００３９】
また、図１に示すシャッタ地板１の開口部１ａの下側部分には、位置調整穴３３と、地板受け部５０への取付け角度を微調整するための地板取付け角度調整機構３０と、ネジ部材挿入穴３６が設けられている。
地板取付け角度調整機構３０は、偏心ピン３１と、可動板３２と、ガイド溝３４と、偏心ピンガイド穴３５を有している。
偏心ピン３１は、偏心した位置に設けられた軸部３１ａと頭部３１ｂとを有してなり、図３に示すように、偏心ピンガイド穴３５を通り、軸部３１ａが地板１の取付穴１ｊに回転可能に取付けられている。頭部３１ｂには所定形状（本実施例ではマイナス形状としたが、プラス形状でもよい。）の溝３１ｃが形成されている。そして、図示しないドライバの先端部を溝に入れてドライバを回転させることにより、偏心ピン３１は回転させられるようになっている。
位置調整穴３３は、可動板３２に設けられていて、第２のピン５２の先端部５２ａを嵌入し且つシャッタ地板１の回転方向側の両側面で第２のピン５２の先端部５２ａと当接するように形成されている。
ガイド溝３４は、シャッタ地板１に設けられていて、可動板３２を、軸穴１ｈを中心とするシャッタ地板１の所定の回転角度範囲内での回転方向に略沿った直線方向にガイド可能に形成されている。
偏心ピンガイド穴３５は、可動板３２に設けられていて、偏心ピン３１をガイド溝３４のガイド方向に対し垂直な方向に沿ってガイド可能に形成されている。
ネジ部材挿入穴３６は、可動板３２に設けられていて、図５に示すように、後述するネジ部材４０の軸部４０ａを挿入可能であり且つネジ部材４０の頭部４０ｂよりも幅が小さい、ガイド溝３４のガイド方向に沿う長穴状に形成されている。
そして、可動板３２は、偏心ピン３１、ガイド溝３４、偏心ピンガイド穴３５と相俟って、偏心ピン３１の回転により位置調整穴３３のシャッタ地板１との相対的な位置を変動させながら軸穴１ｈを中心としてシャッタ地板１を僅かに回転させる機能を備えている。
【００４０】
また、シャッタ地板１は、地板取付け角度調整機構３０を介してシャッタ地板１の地板受け部５０への取付け角度を微調整した位置で、位置調整穴３３のシャッタ地板１との相対的位置を固定する固定手段としてのネジ部材４０を備えている。
ネジ部材４０は、軸部４０ａをネジ部材挿入穴から挿入し、シャッタ地板１に形成されるネジ溝１ｋに螺合させ、頭部４０ｂで可動板３２をシャッタ地板１との間に挟むことで、位置調整穴３３のシャッタ地板１との相対的位置を固定することができるように構成されている。
【００４１】
次に、このように構成された本実施例のフォーカルプレンシャッタを用いた地板受け部５０の第１のピン５１及び第２のピン５２へのシャッタ地板１の取付け位置の調整方法を説明する。ここでの、地板受け部５０は、カメラ本体部ではなく、位置調整用の治具に設けられたものを用いている。
【００４２】
まず、地板受け部５０の第１のピン５１の先端部５１ａにシャッタ地板１の軸穴１ｈを嵌合させるとともに、地板受け部５０の第２のピンの先端部５２ａをシャッタ地板１の長穴１ｉを通し、位置調整穴３３に挿入する。
次いで、偏心ピン３１を所定方向に所定量回転し、シャッタ地板１との相対的な位置を変動させながら軸穴１ｈを中心としてシャッタ地板１を僅かに回転させる。
【００４３】
より詳しくは、例えば、図１の状態から、偏心ピン３１を反時計方向に約９０度回転したとする。すると、偏心ピン３１は、偏心ピンガイド穴３５にガイドされながら下側方向に移動する。このとき、偏心ピン３１の軸部とは反対側の面が偏心ピンガイド穴３５の左側側面を押すため、可動板３２はガイド溝３４内を左側方向に移動させられ、第２のピン５２の先端部５２ａを挿入している位置調整穴３３が左側方向に移動する。ここで、第２のピン５２は地板受け部５０に固定されている。このため、図６に示すように、シャッタ地板１が軸穴１ｈを中心とする反時計方向に所定角度（＋α°）回転する。
【００４４】
また、例えば、図１の状態から、偏心ピン３１を時計方向に約９０度回転したとする。すると、偏心ピン３１は、偏心ピンガイド穴３５にガイドされながら下側方向に移動する。このとき、偏心ピン３１の軸部とは反対側の面が偏心ピンガイド穴３５の右側側面を押すため、可動板３２はガイド溝３４内を右側方向に移動させられ、第２のピン５２の先端部５２ａを挿入している位置調整穴３３が右側方向に移動する。ここで、第２のピン５２は固定されている。このため、図７に示すように、シャッタ地板１が軸穴１ｈを中心とする時計方向に所定角度（−α°）回転する。
【００４５】
このような偏心ピン３１の所定方向への所定量の回転により、可動板３２を左右方向に移動させて、シャッタ地板１を軸穴１ｈを中心とする所定の回転方向に所定角度回転させることで、シャッタ地板１の地板受け部５０への取付け角度を微調整する。取付け角度の微調整は、スリット形成羽根のスリット形成辺（ここでは、シャッタ羽根２１の下端縁）の、地板受け部５０における撮像素子のスリット形成画素列との平行度を所定の平行度計測手段を用いて計測しながら行う。
【００４６】
なお、平行度計測手段としては、例えば、次のようなものを用いる。なお、撮像素子のスリット形成画素列としては、図１に示す地板受け部５０の開口部５３の下側辺を基準とした設計値を用いる。まず、地板受け部５０における、撮像素子のスリット形成画素列に対して平行となる所定位置の仮想線上に２箇所、夫々赤外線ＬＥＤと赤外線受光素子を配置する。さらに、赤外線受光素子が受光した時間を記録するための記録装置も備えておく。地板受け部５０に取付けたシャッタユニットのシャッタ羽根を走行させて、スリット形成羽根２１が夫々の赤外線ＬＥＤを反射して夫々の赤外線受光素子で受光した時間を計測する。そして、２箇所の赤外線受光素子で最初に赤外線を受光した時間のずれの大きさに応じて、スリット形成羽根のスリット形成辺（ここでは、シャッタ羽根２１の下端縁）の、地板受け部５０における撮像素子のスリット形成画素列との平行度を計測する。なお、スリット形成羽根のスリット形成辺の、地板受け部５０における撮像素子のスリット形成画素列との平行度を計測できるものであれば、上述した構成に限定されるものではない。例えば、赤外線ＬＥＤは図１の正面側に設けて、スリット形成羽根が夫々の赤外線ＬＥＤを遮光して夫々の赤外線受光素子での受光が遮断された時間を計測し、２箇所の赤外線受光素子で最初に赤外線の受光が遮断された時間のずれの大きさに応じて、スリット形成羽根のスリット形成辺の、地板受け部５０における撮像素子のスリット形成画素列との平行度を計測するようにしてもよい。
スリット形成羽根のスリット形成辺の地板受け部５０における撮像素子のスリット形成画素列との平行度が所定の範囲内になったときに微調整を終了する。
【００４７】
微調整を終了後、ネジ部材４０をシャッタ地板１に螺着し、位置調整穴３３のシャッタ地板１との相対的位置を固定する。
その後、シャッタ地板１を地板受け部５０から取り外す。
これにより、撮像素子のスリット形成画素列との相対的位置が平行に調整されたスリット形成辺を備えたフォーカルプレンシャッタユニットが出来上がる。
【００４８】
本実施例のフォーカルプレンシャッタによれば、偏心ピン３１の回転により軸穴１ｈを中心としてシャッタ地板１を僅かに回転させて位置調整穴３３のシャッタ地板１との相対的な位置を調整する、地板受け部５０への取付け角度を微調整するための地板取付け角度調整機構３０を備えたので、シャッタ羽根を構成する個々の部材を分解することなく、偏心ピン３１を回転させることによって、シャッタ地板１の地板受け部５０への取付け角度を微調整することができ、スリット形成羽根２１におけるスリット形成辺の、撮像素子のスリット形成画素列に対する平行度の精度を向上させることができる。
【００４９】
また、地板取付け角度調整機構３０を介してシャッタ地板１の地板受け部５０への取付け角度を微調整した位置で、位置調整穴３３のシャッタ地板１との相対的位置を固定する固定手段としてのネジ部材４０を有したので、ネジ部材４０で位置調整穴３３のシャッタ地板１との相対的位置を固定することができ、その後にシャッタ地板１を地板受け部５０からはずしても、シャッタ地板１の地板受け部５０への取付け角度を保持できる。
【００５０】
このため、カメラへ組み込む前工程として、シャッタ地板１をシャッタユニット組立専用の地具に設けられた地板受け部５０に取付けて、シャッタ地板１の地板受け部５０への取付け角度を微調整し、ネジ部材４０で位置調整穴３３のシャッタ地板１との相対的位置を固定した後に、地板受け部５０を設けた地具から取り外すといった一連の工程を繰り返すことで、その後、カメラへ組み込む工程において、シャッタ地板１を図示しないカメラ本体部の地板受け部５０に取付けたときに、スリット形成羽根２１におけるスリット形成辺の、撮像素子のスリット形成画素列に対する平行度を高精度に保つことの可能なシャッタユニットを量産することができる。
【００５１】
また、本実施例によれば、シャッタ地板１の軸穴１ｈを、シャッタ地板１の開口部１ａの中心を通る直線上に設けたので、スリット形成羽根のスリット形成辺（ここでは、シャッタ羽根２１の下端縁）の、地板受け部５０における撮像素子のスリット形成画素列との平行度を調整する際に要するシャッタ地板１の回転量を最小に抑えることができる。その結果、偏心ピン３１の回転量に対するシャッタ地板１の回転量が最小となり、偏心ピン３１を用いた平行度の微調整がし易くなる。
なお、シャッタ地板１の軸穴１ｈを設ける位置は、シャッタ地板１の開口部１ａの中心を通る直線上に限定されるものではなく、当該直線上から外れた、その他の位置であってもよい。但し、シャッタ地板１の軸穴１ｈを、シャッタ地板１の開口部１ａの中心を通る直線上から外れた位置に設けた場合、シャッタ地板１の回転角度によっては、スリット形成羽根のスリット形成辺の、撮像素子のスリット形成画素列との平行度を調整したときに形成されうるスリット幅が、調整するシャッタ地板１ごとに大きく変動して、シャッタユニットごとにカメラ本体部に組み込んだときの、撮像素子の電子幕とで制御される露光量のバラツキが大きくなり、一定品質のシャッタユニットを量産することが難しくなるおそれがある。これに対し、シャッタ地板１の軸穴１ｈを、シャッタ地板１の開口部１ａの中心を通る直線上に設ければ、シャッタ地板１の回転角度にかかわらず、スリット形成羽根のスリット形成辺の、撮像素子のスリット形成画素列との平行度を調整したときに形成されうるスリット幅の、調整するシャッタ地板１ごとの変動量を最小限に抑えて、シャッタユニットごとにカメラ本体部に組み込んだときの、撮像素子の電子幕とで制御される露光量のバラツキを抑えた一定品質のシャッタユニットを量産することができる。
また、本実施例によれば、シャッタ地板１の長穴１ｉを、シャッタ地板１の開口部１ａの中心を通る直線上に設けたので、シャッタ地板１の取付け角度の調整がし易くなる。勿論、シャッタ地板１の長穴１ｉを設ける位置は、当該直線上から外れた、その他の位置であってもよい。
【００５２】
そして、本実施例のようにして、撮像素子のスリット形成画素列との相対的位置が平行に調整されたスリット形成辺を備えたフォーカルプレンシャッタユニットを、撮像素子を有し、且つ、フォーカルプレンシャッタのシャッタ地板１を取付ける地板受け部が設けられたカメラ本体部に組み込むことで、シャッタの性能がより一層高精度なデジタルカメラが得られる。
【００５３】
なお、本実施例では、軸穴１ｈ、長穴１ｉ、地板取付け角度調整機構３０をシャッタ地板１に設けた構成を示したが、軸穴、長穴、地板取付け角度調整機構をカバー板２に設けてもよい。また、長穴１ｉは、地板取付部５０に備わる第２のピン５２のみを遊嵌可能に形成してもよい。
【００５４】
また、本実施例では、地板受け部５０に取付けるユニットとしてのフォーカルプレンシャッタについて説明したが、本発明は、地板取付け角度調整機構３０を介してシャッタ地板１の地板受け部５０への取付け角度が微調整された位置で、固定手段４０を介して位置調整穴３３のシャッタ地板１との相対的位置が固定されたフォーカルプレンシャッタと、撮像素子を有し、且つ、フォーカルプレンシャッタのシャッタ地板１を取付ける地板受け部５０が設けられた基板とを一体化したカメラユニットとして構成し、構成したカメラユニットをカメラ本体部に取り付けるようにしてもよい。
また、本実施例では、地板受け部５０が２つのピンを備えた構成を前提として説明したが、地板受け部５０が３つ以上のピンを備えた構成に対しても、本発明は適用可能である。その場合は、第３のピン以降のピンに対しては、シャッタ地板１に、地板受け部５０への取付け角度調整時に当該ピンに干渉しない穴を形成して、当該ピンを通すようにすればよい。
また、本実施例では、メカニカルシャッタを後幕に用いたが、露光作動時に電子幕と相俟ってスリットを形成しうる構成であれば、メカニカルシャッタを先幕に用いた構成に対しても本発明は適用可能である。
さらに、本実施例では、メカニカルシャッタによる幕が電子幕と同じ方向に走行することによってスリットを形成する構成について説明したが、メカニカルシャッタによる幕は電子幕と異なる（例えば、互いに相反する方向）に走行することによってスリットを形成する構成に対しても、本発明は適用可能である。
【符号の説明】
【００５５】
１                              シャッタ地板
１ａ，２ａ                      開口部
１ｂ                            長孔
１ｃ，１ｄ，１ｆ，１ｇ          軸
１ｈ                            軸穴
１ｉ                            長穴
１ｉ−１                        太溝部
１ｉ−２                        細穴部
１ｊ                            取付穴
１ｋ                            ネジ溝
２                              補助地板
２ｂ                            長穴
４                              鉄芯部材
１１                            駆動部材
１１ａ                          被押動部
１１ｂ                          駆動ピン
１１ｃ                          取付部
１３                            鉄片部材
１３ａ                          軸部
１３ｂ                          頭部
１３ｃ                          鉄片部
１４                            セット部材
１４ｂ                          押動部
１７，１８                      アーム
１７ａ                          長孔
１８ａ                          孔
１９，２０，２１                羽根
２３                            支持板
２４                            ラチェット部材
３０                            地板取付け角度調整機構
３１                            偏心ピン
３１ａ                          軸部
３１ｂ                          頭部
３１ｃ                          溝
３２                            可動板
３３                            位置調整穴
３４                            ガイド溝
３５                            偏心ピンガイド穴
３６                            ネジ部材挿入穴
４０                            ネジ部材（固定手段）
４０ａ                          軸部
４０ｂ                          頭部
５０                            地板受け部
５１                            第１のピン
５１ａ                          先端部
５１ｂ                          太径部
５２                            第２のピン
５２ａ                          先端部
５２ｂ                          太径部
５３                            開口部
【図１】
0006313172.tif 000002
【図２】
0006313172.tif 000003
【図３】
0006313172.tif 000004
【図４】
0006313172.tif 000005
【図５】
0006313172.tif 000006
【図６】
0006313172.tif 000007
【図７】
0006313172.tif 000008